(57)【要約】【課題】一度の塗布で、瞼に塗布したアイシャドウを自然なグラデーションに仕上げることができる化粧料塗布具を提供すること。【解決手段】本発明の化粧料塗布具１は、塗布部３から延びる軸体４と、軸体４の先端部分に塗布体５とを備える。塗布体５は変形可能な部材で構成されている。化粧料塗布具１は、塗布体５を平面視したときの投影面積が最も広くなる状態を基準として、該塗布体５で覆われた軸体４が、塗布体５に対し、偏心した位置に配置されている。【選択図】図１
2015142722.tif 000002
【特許請求の範囲】
【請求項１】
把持部と塗布部とを備える化粧料塗布具であって、
前記塗布部は、前記把持部から延びる軸体、該軸体における該把持部とは反対側の先端部分に該軸体を覆う塗布体とを備えており、
前記塗布体は、変形可能な部材で構成されており、
前記塗布体を平面視したときの投影面積が最も広くなる状態を基準として、該塗布体で覆われた前記軸体が、該塗布体に対し、偏心した位置に配置されている化粧料塗布具。
【請求項２】
前記塗布体を平面視したときの投影面積が最も広くなる状態を基準として、該塗布体の長手方向に直交する幅方向の最も幅広の部位の中心を通る前記塗布体の長手方向に延びている仮想塗布体中心線に対し、該塗布体で覆われた前記軸体の中心がずれている請求項１に記載の化粧料塗布具。
【請求項３】
前記塗布体の最も幅広の部位において、その幅広の部位の全幅（Ｗ）の半分の値（Ｗ／２）に対する、該幅広の部位の中心と前記軸体の中心の位置との間隔（ｄ）の比（ｄ／（Ｗ／２））が、０．１以上０．９５以下である請求項１又は２に記載の化粧料塗布具。
【請求項４】
前記塗布体における前記塗布体の長手方向の長さが最も長い部位の長さ（Ｌ）に対する、該塗布体の最も幅広の部位の半分の位置からずれている前記軸体の部分の全道のりの長さ（Ｌ１）の比（Ｌ１／Ｌ）が、０．２以上１．５以下である請求項１〜３のいずれか１項に記載の化粧料塗布具。
【請求項５】
前記仮想塗布体中心線を境界として、
片方の塗布体の領域に、該塗布体で覆われた前記軸体の部分が全て配されている請求項２に記載の化粧料塗布具。
【請求項６】
前記塗布体の最も幅広の部位にて、該塗布体の幅方向に沿って断面視して、
前記塗布体の最も厚みの厚い部位の半分の厚さ位置を通る前記塗布体の幅方向に延びる第２仮想塗布体中心線に対し、前記軸体の部分がずれている請求項１〜５のいずれか１項に記載の化粧料塗布具。
【請求項７】
前記塗布体の塗布面が、略平面な形状である請求項１〜６のいずれか１項に記載の化粧料塗布具。
【請求項８】
前記塗布体の両塗布面が、略平面な形状であり、
前記塗布体の最も幅広の部位にて、該塗布体の幅方向に沿って断面視して、
前記塗布体の両塗布面を構成する一対の対向辺どうしの間隔が、前記軸体の部分に近い側の一側辺から他側辺に向かって、漸次広くなっているか或いは漸次狭くなっている請求項１〜７のいずれか１項に記載の化粧料塗布具。
【請求項９】
前記塗布体における塗布体の長手方向に沿う両側縁の内、前記軸体の部分に近い側の一側縁が、一直線の形状を有している請求項１〜８のいずれか１項に記載の化粧料塗布具。
【請求項１０】
前記塗布体における前記塗布体の長手方向に沿う両側縁の内の前記軸体の部分に近い側の一側縁と、前記塗布体における前記塗布体の長手方向の先端側の端縁とのなす角度が、８５°以下である請求項１〜９のいずれか１項に記載の化粧料塗布具。
【請求項１１】
前記塗布体における前記塗布体の長手方向に沿う両側縁において、前記軸体の部分に近い側の一側縁の長さが、他側縁の長さよりも長い請求項１〜１０のいずれか１項に記載の化粧料塗布具。
【請求項１２】
前記変形可能な部材で構成された塗布体は、中実体、中空体、或いは多孔質体で形成されている請求項１〜１１のいずれか１項に記載の化粧料塗布具。
【請求項１３】
前記塗布体を平面視したときの投影面積が最も広くなる状態を基準として、該塗布体の該投影面積を塗布体面積（Ａｔ）とし、該塗布体で覆われた前記軸体の部分に対応する部分の面積を軸体面積（Ａｊ）とし、該塗布体における該軸体が存在しない部分に対応する面積を軸体非存在面積（Ａｔ−Ａｊ）とした場合、前記塗布体面積（Ａｔ）に対する前記軸体非存在面積（Ａｔ−Ａｊ）の比（（Ａｔ−Ａｊ）／Ａｔ）が、０．３以上０．９５以下である請求項１〜１２のいずれか１項に記載の化粧料塗布具。
【発明の詳細な説明】
【技術分野】
【０００１】
本発明は、化粧料を対象物に塗布するために用いられる化粧料塗布具に関する。
【背景技術】
【０００２】
従来より、例えば、アイシャドウを瞼に塗布するために用いられる化粧料塗布具として、該化粧料塗布具の軸体の先端に設けられた塗布体を、ウレタン樹脂或いは合成樹脂等の材料で形成し、該塗布体が弾性変形可能となっている化粧料塗布具が知られている（特許文献１，２）。
【０００３】
たとえば、特許文献１には、塗布体を取り付ける軸体の先端部の形状を楕円球状の回転体に形成し、該楕円球状の軸体の先端部を覆う、ウレタン樹脂等の材料で形成された塗布体の形状を、楕円球状とした化粧料塗布具が記載されている。特許文献１に記載の化粧料塗布具によれば、塗布体の形状が楕円球状であるので、化粧料を目的に応じた塗布量で塗布することができる。
【０００４】
また、特許文献２には、ウレタン樹脂等の材料で形成された塗布体の先端の端縁部を、直線状に形成した化粧料塗布具が記載されている。特許文献２に記載の化粧料塗布具によれば、塗布体の先端の端縁部が直線状であるので、瞼、目頭等に細かく化粧料を塗布することができる。
【先行技術文献】
【特許文献】
【０００５】
【特許文献１】特開２０１０-４６２９９号公報
【特許文献２】特開２０１１-１４３１３７号公報
【発明の概要】
【発明が解決しようとする課題】
【０００６】
しかし、特許文献１，２で記載されている化粧塗布具は、アイシャドウの複数色を数回に分けて瞼の上に塗布し、アイメイクを完成させる用具であるので、多くの女性は、アイシャドウがうまく塗れない、色のグラデーションがうまく出来ない、時間がかかる等の課題がある。また、近年、アイシャドウの正しい塗り方について非常に関心が高く、アイシャドウを簡単に自然なグラデーションに仕上げる為の改善が望まれている。
【０００７】
したがって本発明は、前述した従来技術が有する欠点を解消し得る化粧料塗布具に関する。
【課題を解決するための手段】
【０００８】
本発明は、把持部と塗布部とを備える化粧料塗布具であって、前記塗布部は、前記把持部から延びる軸体、該軸体における該把持部とは反対側の先端部分に該軸体を覆う塗布体とを備えており、前記塗布体は、変形可能な部材で構成されており、前記塗布体を平面視したときの投影面積が最も広くなる状態を基準として、該塗布体で覆われた前記軸体が、該塗布体に対し、偏心した位置に配置されている化粧料塗布具を提供するものである。
【発明の効果】
【０００９】
本発明によれば、例えばアイシャドウの化粧料塗布具として用いると、一度の塗布で、瞼に塗布したアイシャドウを自然なグラデーションに仕上げることができる。また、本発明によれば、目頭側から目尻側に亘る瞼の大部分にアイシャドウ用の化粧料を一度で塗布することができる。その結果、化粧時間を短縮することができる。
【図面の簡単な説明】
【００１０】
【図１】図１は、本発明の１実施形態である化粧料塗布具の斜視図である。
【図２】図２は、図１に示す化粧料塗布具の塗布体を平面視したときの投影面積が最も広くなる状態での平面図である。
【図３】図３は、図２に示すＩＩＩ−ＩＩＩ線断面図である。
【図４】図４は、図１に示す化粧料塗布具の使用状態の例を示す説明図である。
【図５】図５（ａ）〜（ｄ）は、本発明の別の実施形態である化粧料塗布具の塗布体を平面視したときの投影面積が最も広くなる状態での平面図である（図２相当図）。
【図６】図６（ａ）〜（ｂ）は、本発明の更に別の実施形態である化粧料塗布具の塗布体を平面視したときの投影面積が最も広くなる状態での平面図である（図２相当図）。
【図７】図７（ａ）〜（ｂ）は、本発明の別の実施形態である化粧料塗布具の塗布体を平面視したときの投影面積が最も広くなる状態での平面図である（図２相当図）。
【図８】図８（ａ）〜（ｅ）は、本発明の更に別の実施形態である化粧料塗布具の塗布体を平面視したときの投影面積が最も広くなる状態での平面図である（図２相当図）。
【図９】図９は、本発明の別の実施形態である化粧料塗布具の塗布体を平面視したときの投影面積が最も広くなる状態での平面図において、塗布体の最も幅広の部位にて幅方向に沿って断面視した際の断面図である（図３相当図）。
【図１０】図１０は、本発明の更に別の実施形態である化粧料塗布具の塗布体を平面視したときの投影面積が最も広くなる状態での平面図において、塗布体の最も幅広の部位にて幅方向に沿って断面視した際の断面図である（図３相当図）。
【図１１】図１１（ａ）は本発明の別の実施形態である化粧料塗布具の塗布部の斜視図であり、図１１（ｂ）は図１１（ａ）に示す塗布部の塗布体を平面視したときの投影面積が最も広くなる状態での平面図において、塗布体の最も幅広の部位にて幅方向に沿って断面視した際の断面図である（図３相当図）。
【図１２】図１２（ａ）は本発明の更に別の実施形態である化粧料塗布具の塗布部の斜視図であり、図１２（ｂ）は図１２（ａ）に示す塗布部の塗布体を平面視したときの投影面積が最も広くなる状態での平面図において、塗布体の最も幅広の部位にて幅方向に沿って断面視した際の断面図である（図３相当図）。
【図１３】図１３（ａ）〜（ｂ）は、本発明のまた別の実施形態である化粧料塗布具の塗布体を平面視したときの投影面積が最も広くなる状態での平面図である（図２相当図）。
【発明を実施するための形態】
【００１１】
以下、本発明を、その好ましい実施形態に基づき図面を参照しながら説明する。
図１には、本発明の一実施形態である化粧料塗布具１の斜視図が示されている。図１に示すように、本実施形態の化粧料塗布具１（以下、単に「化粧料塗布具１」ともいう。）は、把持部２と塗布部３とを備えている。そして、塗布部３は、把持部２から延びる軸体４、軸体４における把持部２とは反対側の先端部分に軸体４を覆う塗布体５とを備えている。以下の説明においては、図２に示すように、塗布体５を平面視したときの投影面積が最も広くなる状態を基準として、化粧料塗布具１の把持部２の延びる長手方向をＸ方向、長手方向（Ｘ方向）に直交する幅方向をＹ方向として説明する。また、図２に示す長手方向（Ｘ方向）及び幅方向（Ｙ方向）からなる面方向に直交する方向である化粧料塗布具１の厚み方向を、図３に示すように、Ｚ方向として説明する。また、図１〜図２に示すように、長手方向（Ｘ方向）については、化粧料塗布具１の塗布体５側を上側或いは先端側として説明し、把持部１１側を下側として説明する。尚、化粧料塗布具１においては、化粧料塗布具１の把持部２の延びる長手方向(Ｘ方向)と塗布体５の長手方向とは同じ方向であり、塗布体５の長手方向に直交する幅方向と化粧料塗布具１の幅方向（Ｙ方向）とは同じ方向である。
【００１２】
把持部２は、化粧料を塗布する際に直接指で持つ部材であり、その上端側に塗布部３を有している。把持部２の下端側には、化粧料塗布具１においては、何ら設けられていないが、例えば、化粧の際に用いる化粧用ブラシ等を設けてもよく、別の塗布部３をもう一個設けてもよい。把持部２は、指で持つことができる形状であれば任意の形状でよく、化粧料塗布具１においては、図１に示すように、Ｚ方向に厚みのある長手方向（Ｘ方向）に細長い直方体形状に形成されている。把持部２は、プラスチック、或いは金属からなる。把持部２は、その上端において塗布部３の軸体４と連結している。把持部２と軸体４とは、同一材料から一体的に形成されていてもよく、或いは予め製造された２つの部材を公知の手段によって固定させて構成されていてもよい。
【００１３】
塗布部３の軸体４は、図１，図２に示すように、把持部２の上端（先端）に形成されており、把持部２から長手方向（Ｘ方向）に延びている。軸体４は、プラスチック、或いは金属から形成されており、化粧料の塗布操作時に塗布部３に加わる外力によって撓む点からプラスチック材料の成型によって形成されているものが好ましい。軸体４の材料としては、溶融成型可能な材料を特に制限なく用いることができる。たとえば、ポリエチレンテレフタレート等のポリエステル、ポリプロピレン等のポリオレフィン、ナイロン等のポリアミド樹脂、ＡＢＳ樹脂、ポリアセタール等を用いることができる。また、ポリエステルエラストマー、ポリウレタンエラストマー等の熱可塑性エラストマーを用いることができる。
軸体４の断面形状は、円形、楕円、四角形等特に制限なく用いることができ、Ｚ方向の厚みが、把持部２の厚みよりも薄い形状が好ましい。その場合の軸体４は、その厚み（Ｚ方向）が、０．２ｍｍ以上３ｍｍ以下であることが好ましく、また、軸体４は、その幅（Ｙ方向）が１ｍｍ以上１０ｍｍ以下であることが好ましい。なかでも、軸体４の幅が、厚みよりも長い、板状の断面形状が好ましい。
また、軸体４の先端部分（上端側部分）には、軸体４を覆う塗布体５が設けられている。従って、軸体４は、塗布体５で覆われた軸体の部分４１と、塗布体５で覆われていない部分４２とを有している。
【００１４】
塗布体５は、図１，図２に示すように、軸体４の部分４１を覆っており、接着剤等の公知の手段によって固定されている。塗布体５は、変形可能な部材で構成されており、化粧料の塗布操作時に塗布部３に加わる外力によって変形可能になっている。この目的のために、塗布体５は、中実体、中空体、或いは多孔質体で形成されていることが好ましい。ここで、中実体としては、ブタジエンゴム、イソプレンゴム、ニトリルゴム、クロロプレンゴム等の合成ゴム、天然ゴム、又はシリコーン等の熱可塑性エラストマー等が挙げられる。また、多孔質体としては、抽出法、化学処理法、発泡法などによって製造されるものが挙げられ、材質としては、ポリウレタン、ポリエーテル、ポリエステル、ポリ塩化ビニル、ポリエチレン、ポリプロピレン，ＥＶＡ、ラテックス、シリコーン、シリコーンエラストマー等が挙げられる。なかでも、弾性変形可能な弾性材が好ましい。また、多孔質体としては、抽出法、発泡法等で製造されるものが好ましく、気泡形状としては、閉塞気泡、半閉塞気泡を含むものである。また、中空体としては、前述した中実体又は多孔質体を形成する材質を用いて、袋状に形成したものを用いて、軸体４の部分４１と塗布体５との間に空間を設けたもの等が挙げられる。
【００１５】
化粧料塗布具１は、図２に示すように、塗布体５を平面視したときの投影面積が最も広くなる状態を基準として、塗布体５で覆われた軸体４、即ち軸体の部分４１が、塗布体５に対し、偏心した位置に配置されている。具体的には、塗布体５を平面視したときの投影面積が最も広くなる状態を基準として、塗布体５の最も幅広の部位（幅方向（Ｙ方向）の長さが最も長い部位）の中心Ｐ（該最も長い部位の半分の位置）を通る塗布体５の長手方向(Ｘ方向)に延びる仮想塗布体中心線ＩＬに対し、塗布体５で覆われた軸体４の中心、即ち軸体の部分４１の中心がずれて形成されている。ここで、塗布体５で覆われた軸体の部分４１の中心が仮想塗布体中心線ＩＬに対してずれているとは、（ｉ）該軸体の部分４１の全体において、該軸体の部分４１の幅中心の位置が仮想塗布体中心線ＩＬに対してずれている形態のみならず、（ｉｉ）該軸体の部分４１の大部分において、該軸体の部分４１の幅中心の位置が仮想塗布体中心線ＩＬに対してずれている形態も含む意味である。該（ｉｉ）の形態における前記大部分とは、塗布体５で覆われた軸体の部分４１の全道のりに対する、軸体４の幅中心の位置が仮想塗布体中心線ＩＬに対してずれている部分の道のりの割合が２０％程度以上であることを意味する。
【００１６】
本実施形態の化粧料塗布具１は、上記（ｉｉ）の形態であり、塗布体５で覆われた軸体の部分４１が、塗布体５に対し、偏心した位置に配置されている。具体的には、図２に示すように、化粧料塗布具１の塗布体５で覆われた軸体の部分４１は、軸体４における塗布体５で覆われていない部分４２から長手方向（Ｘ方向）に平行に延在する部分を有しており、該延在する部分の幅中心の位置は仮想塗布体中心線ＩＬと一致している。また、塗布体５で覆われた軸体の部分４１は、前記延在する部分から更に延びる、図２にて二点鎖線で示す幅中心の位置を備える部分を有しており、該二点鎖線で示す部分は、仮想塗布体中心線ＩＬに対してずれている。本実施形態の化粧料塗布具１においては、塗布体５で覆われた軸体の部分４１の全道のりに対する、前記二点鎖線で示す部分の道のりの割合が８０％程度である。
【００１７】
塗布体５で覆われた軸体の部分４１について、更に詳述すると、その一部が屈曲又は湾曲している。好適には、図２に示すように、該軸体の部分４１は、軸体４における塗布体５で覆われていない部分４２から長手方向（Ｘ方向）に平行に延在し、そして、塗布体５の長手方向（Ｘ方向）に沿う両側縁５ｓ１，５ｓ２の内の一方の側縁５ｓ１に向かって屈曲したのち該一側縁５ｓ１に向かって延在している。更に、該軸体の部分４１は、塗布体５の長手方向（Ｘ方向）の上端縁５ｅ１に向かって屈曲したのち側縁５ｓ１に沿って上端縁５ｅ１近傍まで延在している。前述した図２にて二点鎖線で示した幅中心の位置を備える部分は、塗布体５で覆われた軸体の部分４１における、塗布体５で覆われていない部分４２から平行に延在する部分（仮想塗布体中心線ＩＬと一致する部分）を経て塗布体５の側縁５ｓ１に向かって屈曲した位置から塗布体５の上端縁５ｅ１近傍まで延在した部分である。
【００１８】
塗布体５の形状について詳述すると、塗布体５は、図２に示すように、平面視したときの投影面積が最も広くなる状態を基準として、長手方向（Ｘ方向）に沿う両側縁５ｓ１，５ｓ２と、長手方向（Ｘ方向）の上端縁５ｅ１と、長手方向（Ｘ方向）の下端縁５ｅ２とを有している。化粧料塗布具１においては、両側縁５ｓ１，５ｓ２の内、塗布体５で覆われた軸体の部分４１に近い側の一側縁５ｓ１の長さが、他側縁５ｓ２の長さよりも長くなっている。従って、塗布体５は、仮想塗布体中心線ＩＬに対し、一側縁５ｓ１側と他側縁５ｓ２側とで非対称な形状となっている。そして、一側縁５ｓ１は、長手方向（Ｘ方向）に平行に延びる一直線の形状に形成されている。他側縁５ｓ２は、仮想塗布体中心線ＩＬに対して外方に凸状となる曲線形状に形成されている。また、一側縁５ｓ１の長手方向（Ｘ方向）の下端部の位置と、他側縁５ｓ２の長手方向（Ｘ方向）の下端部の位置とは、長手方向（Ｘ方向）において、同じ位置に配されている。そして、上端縁５ｅ１の左右両端部は、一側縁５ｓ１の上端部及び他側縁５ｓ２の上端部と滑らかに連なっている。また、下端縁５ｅ２の左右両端部は、一側縁５ｓ１の下端部及び他側縁５ｓ２の下端部と滑らかに連なっている。このように、塗布体５は、化粧料塗布具１においては、一側縁５ｓ１の長さが他側縁５ｓ２の長さよりも長い台形形状に形成されている。
【００１９】
塗布体５は、図２に示すように、平面視したときの投影面積が最も広くなる状態を基準として、上端縁５ｅ１の端部と一側縁５ｓ１の上端部とが繋がって形成される第１角部５１、上端縁５ｅ１の端部と他側縁５ｓ２の上端部とが繋がって形成される第２角部５２、下端縁５ｅ２の端部と他側縁５ｓ２の下端部とが繋がって形成される第３角部５３、及び、下端縁５ｅ２の端部と一側縁５ｓ１の下端部とが繋がって形成される第４角部５４とを有している。そして、化粧料塗布具１においては、第２角部５２の外方に凸の曲線の湾曲が最も緩やかになっており、第１角部５１の外方に凸の曲線の湾曲が最も急になっている。このように形成されていると、瞼に塗布する際、図４の一点鎖線で示した仮想の化粧料塗布具１の位置のように目頭側に当てたときに、第１角部５１が瞼の縁の目頭側の端に当たり、かつ第２角部５２の湾曲が瞼の形に沿うように当たるので、塗り始めの際に、瞼の形に沿って化粧料を塗布することができ、瞼に当てたまま目頭側を起点として、目尻側へ向かって塗布部３を移動させることで、瞼の形に沿った範囲全体に１回で塗布することができる。このような効果を一層奏する観点から、第１角部５１の曲率半径は、０．３ｍｍ以上２ｍｍ以下であることが好ましい。第２角部５２の曲率半径は、２ｍｍ以上１０ｍｍ以下であることが好ましい。第３角部５３の曲率半径は、１ｍｍ以上８ｍｍ以下であることが好ましい。そして、第４角部５４の曲率半径は、０．３ｍｍ以上３ｍｍ以下であることが好ましい。
【００２０】
塗布体５は、図２に示すように、平面視したときの投影面積が最も広くなる状態を基準として、塗布体５における長手方向（Ｘ方向）の長さが最も長い部位の長さ（Ｌ）は、８ｍｍ以上３０ｍｍ以下であることが好ましい。また、塗布体５における幅方向（Ｙ方向）の長さが最も広い幅広の部位の全幅（Ｗ）は、３ｍｍ以上２０ｍｍ以下であることが好ましい。
【００２１】
塗布体５は、図２に示すように、平面視したときの投影面積が最も広くなる状態を基準として、塗布体５における長手方向（Ｘ方向）に沿う両側縁５ｓ１の内の一側縁５ｓ１と、塗布体５における長手方向（Ｘ方向）先端側の端縁５ｅ１とのなす角度αは、化粧料塗布具１、例えば、アイシャドウを塗布するのに使用する場合に、瞼の目頭側から目尻側に亘って前頭骨の眼球側の骨に沿って塗布体５を当てて操作することができる点、さらに、目頭側から目尻側へ向かって塗布部３を移動させた際、目尻側では塗布部３を徐々に浮かせるようにして、例えば筆を払うようにして塗布した時に、第１角部５１が一番最後まで肌から離れずに残るので、目の周囲を強調させる化粧をする際に、目の縁から繋がるラインを目尻からはみ出すように化粧料を塗布することが可能になり、効果的なアイメイクを施すことができる観点から、８５°以下であることが好ましく、７５°以下であることがより好ましい。尚、角度αの下限値としては、同様の観点から、３０°以上であることが好ましい。
【００２２】
化粧料塗布具１は、図２に示すように、平面視したときの投影面積が最も広くなる状態を基準として、塗布体５の最も幅広の部位において、その幅広の部位の全幅（Ｗ）の半分の値（Ｗ／２）に対する、該幅広の部位の中心（半分の位置）Ｐと軸体の部分４１の中心の位置（幅中心の位置Ｐ２）との間隔（ｄ）の比（ｄ／（Ｗ／２））が、化粧料塗布具１を用いて、例えば、金皿などにプレス成型させた化粧料の表面に塗布体を滑らせて、化粧料を塗布体に付着させて取る際、軸体の部分４１と塗布体５の距離が離れるにつれて押圧が低下し、塗布体５への化粧料の取れ量が減少する。さらに、化粧する際も、軸体の部分４１と塗布体５の距離が離れるにつれて、押圧が低下し、塗布体５から瞼へ移行する化粧料の塗り量が低下するので、目の際から上に向って化粧料を暈すことができ、自然なグラデーションのあるメイクが実現できる点から、０．１以上０．９５以下であることが好ましく、０．５以上０．８以下であることが更に好ましい。尚、塗布体５の最も幅広の部位まで、軸体４が延在していない場合には、該軸体４の先端部からＸ方向に延長させた状態を仮想して判断する。
【００２３】
化粧料塗布具１は、図２に示すように、平面視したときの投影面積が最も広くなる状態を基準として、塗布体５における長手方向（Ｘ方向）の長さが最も長い部位の長さ（Ｌ）に対する、塗布体５の最も幅広の部位の半分の位置Ｐからずれている軸体の部分４１（本実施形態においては軸体の部分４１の二点鎖線で示した部分）の全道のりの長さ（Ｌ１）の比（Ｌ１／Ｌ）が、塗布部の適度なコシとしなりを与える点から、０．２以上１．５以下であることが好ましく、０．５以上１．０以下がより好ましい。
【００２４】
化粧料塗布具１は、図２に示すように、塗布体５を平面視したときの投影面積が最も広くなる状態を基準として、塗布体５の該投影面積を塗布体面積（Ａｔ）とし、塗布体５で覆われた軸体の部分４１に対応する部分の面積を軸体面積（Ａｊ）とし、塗布体５における軸体４が存在しない部分に対応する面積を軸体非存在面積（Ａｔ−Ａｊ）とした場合、塗布体面積（Ａｔ）に対する軸体非存在面積（Ａｔ−Ａｊ）の比（（Ａｔ−Ａｊ）／Ａｔ）が、０．３以上０．９５以下であることが好ましく、０．４以上０．９以下であることがより好ましく、０．５以上０．９以下であることがさらに好ましい。前記比（（Ａｔ−Ａｊ）／Ａｔ）が、このような範囲内にあると、化粧料の表面に塗布体５を滑らせ、化粧料を塗布体５に付着させて取る際に、軸体の部分４１から塗布体５の距離が離れるに連れて押圧が低下し易く、軸体の部分４１から塗布体５の距離が離れるに連れて化粧料の取れる量が減少していき易い。さらに、化粧する際に、軸体の部分４１から塗布体５の距離が離れるに連れて押圧が低下し易く、塗布体５から瞼に移行する化粧料の塗り量が低下していき易い。従って、前記範囲内にある化粧料塗布具１を使用すれば、例えば、目の際から上方に向かって化粧料を暈すことができ、自然なグラデーションのあるメイクが実現できる。
【００２５】
また、化粧料塗布具１は、塗布体５が長手方向（Ｘ方向）に長い扁平形状からなり、塗布体５の最も幅広の部位にて、図３に示すように、幅方向（Ｙ方向）に沿って断面視して、塗布体の最も厚みの厚い（広い）部位の半分の厚さ位置Ｐ３を通る塗布体５の幅方向（Ｙ方向）に延びる第２仮想塗布体中心線ＩＬ２に対し、軸体の部分４１が厚み方向（Ｚ方向）にずれていない。
【００２６】
また、化粧料塗布具１の扁平形状の塗布体５は、図１に示すように、両塗布面５ｆ，５ｆが、略平面な形状となっている。ここ言う略平面とは、フラットな状態であれば良く、細かな波形状や凹凸があっても良い。そして、図３に示すように、塗布体５の最も幅広の部位にて、幅方向（Ｙ方向）に沿って断面視して、塗布体５の両塗布面５ｆ，５ｆを構成する一対の対向辺どうしの間隔が、軸体の部分４１に近い側の一側縁５ｓ１から他側縁５ｓ２に向かって、漸次広くなっている。即ち、一側縁５ｓ１側の塗布体５の厚みが、他側縁５ｓ２側の塗布体５の厚みよりも薄くなっている。一方の塗布面５ｆを構成する対向辺と他方の塗布面５ｆを構成する対向辺とのなす角βは（図３参照）、０°以上４５°以下であることが好ましく、５°以上３０°以下であることがより好ましく、１５°以上２５°以下であることが更に好ましい。
【００２７】
塗布体５は、図３に示すように、塗布体５の最も幅広の部位にて幅方向（Ｙ方向）に沿って断面視して、他側縁５ｓ２を横切って厚み方向（Ｚ方向）に延びる他側縁５ｓ２側の輪郭端縁の両端部と両塗布面５ｆ，５ｆを構成する一対の対向辺の両端部とが滑らかに連なっており、一側縁５ｓ１を横切って厚み方向（Ｚ方向）に延びる一側縁５ｓ１側の輪郭端縁の両端部と両塗布面５ｆ，５ｆを構成する一対の対向辺の両端部とが滑らかに連なって形成されている。塗布体５は、図３に示すように、他側縁５ｓ２側の輪郭端縁の端部と塗布面５ｆを構成する辺の端部とが繋がって形成される第５角部５５と、一側縁５ｓ１側の輪郭端縁の端部と塗布面５ｆを構成する辺の端部とが繋がって形成される第６角部５６とを有している。そして、化粧料塗布具１においては、第５角部５５の外方に凸の曲線の湾曲が、第６角部５６の外方に凸の曲線の湾曲に比べて、緩やかになっている。このように形成されていると、塗布面５ｆから第５角部５５の曲線の湾曲にかけてグラデーションの効果が得られるので、化粧料を塗布したところから化粧料を塗布していないところにかけて徐々に化粧料が消失することで、暈し効果がより強調されると共に、塗布面５ｆから第６角部５６にかけては、化粧料を塗布した目の際の近傍まで、はっきりと濃く化粧料を塗布することができるので、例えばまぶたの目の縁の部分へアイラインを、アイシャドウと同時に施すことができる。このような効果を一層奏する観点から、第５角部５５の曲率半径は、２ｍｍ以上５ｍｍ以下であることが好ましく、第６角部５６の曲率半径は、０．１ｍｍ以上３ｍｍ以下であることが好ましい。尚、第５角部５５の曲率半径は、第６角部５６の曲率半径より大きい。
【００２８】
本実施形態の化粧料塗布具１は、例えば、ファンデーション、チーク、アイシャドウ等の化粧料を収容する化粧用コンパクトケースに収容されて使用される。具体的には、化粧用コンパクトケースにおいて、前記化粧料を収容する化粧料収容部に隣接する塗布具収容部に収容されて、化粧用コンパクトケースとセットで使用される。
【００２９】
上述した本発明の実施形態の化粧料塗布具１を備える化粧用コンパクトケースを使用した際の作用効果について説明する。
上述した構成を有する化粧料塗布具１を取り出し、次に、化粧料収容部に収容された例えばアイシャドウのパレット上に化粧料塗布具１の塗布体５を滑らせ、塗布体５の塗布面５ｆ上にアイシャドウを担持させる。ここで、化粧料塗布具１は、図２に示すように、塗布体５を平面視したときの投影面積が最も広くなる状態を基準として、塗布体５で覆われた軸体の部分４１が仮想塗布体中心線ＩＬに対してずれて配されている。その為、化粧料塗布具１の塗布体５をパレット上で滑らせると、軸体の部分４１が配された一側縁５ｓ１側の方が、他側縁５ｓ２側に比べて力が加わり易く、一側縁５ｓ１側の方がアイシャドウをより多く担持させることができ、塗布面５ｆに担持させたアイシャドウに濃淡ができるようになる。従って、図４に示すように、片方の瞼を閉じた状態で、化粧料塗布具１の塗布体５を瞼の目頭から目尻に移動させて瞼にアイシャドウを塗布すると、一度の塗布で、瞼に塗布したアイシャドウを自然なグラデーションに仕上げることができる。
【００３０】
また、アイシャドウを担持した塗布体５を有する化粧料塗布具１は、図４に示すように、瞼の目頭に配した後、目尻に向かって移動させると、軸体の部分４１が配された一側縁５ｓ１側の方が、他側縁５ｓ２側に比べて力が加わり易く、目頭側から目尻側に亘る瞼の大部分にアイシャドウを一度で塗布することができる。その結果、化粧時間を短縮することができる。特に、図１に示す化粧料塗布具１の塗布体５は、一側縁５ｓ１側の方が他側縁５ｓ２側に比べて厚みが薄いので、更に力が加わり易く、上記効果を奏することができる。
【００３１】
また、化粧料塗布具１は、図１に示すように、塗布体５の塗布面５ｆが略平面な形状となっている。その為、図４に示すように、化粧料塗布具１を使用すると、塗布体５の塗布面５ｆの瞼への密着性が向上する。また、軸体の部分４１が配された一側縁５ｓ１側の方が、他側縁５ｓ２側に比べて力が加わり易く、目の際のカラーを強調させると同時に、瞼に塗布したアイシャドウにグラデーションが出易くなる。
【００３２】
また、化粧料塗布具１は、図３に示すように断面視して、塗布体５の両塗布面５ｆ，５ｆを構成する一対の対向辺どうしの間隔が、軸体の部分４１に近い側の一側縁５ｓ１から他側縁５ｓ２に向かって、漸次広くなっている。その為、瞼に塗布したアイシャドウにグラデーションが更に出易くなる。また、塗布体の縁５ｓ１近傍において、軸体４１との距離が極めて近くなり、しかも、塗布体５の両塗布面５ｆ，５ｆを幅が狭くなっているので、視界を遮ることなく、かつ、まつ毛と接触することなく、まつ毛の生え際近くの場所に化粧料を塗布する
ことができる。
【００３３】
また、化粧料塗布具１の塗布体５は、図２に示すように、塗布体５で覆われた軸体の部分４１に近い側の一側縁５ｓ１の長さが、他側縁５ｓ２の長さよりも長くなっている。即ち、塗布体５は、仮想塗布体中心線ＩＬに対し、一側縁５ｓ１側と他側縁５ｓ２側とで非対称な形状となっている。その為、瞼の形に沿わせて、自然で効果的なアイシャドウメイクを１回で簡単に塗布することができる。そして、塗布体５は、図２に示すように、一側縁５ｓ１が一直線状に形成されている。この直線領域は、一側縁５ｓ１の内、半分以上の長さを占めるのが好ましい。その為、図４に示すように、化粧料塗布具１を使用すると、一側縁５ｓ１を目の際に沿って動かし易く、目の際のアイラインを塗布し易くなる。
【００３４】
本発明の化粧料塗布具は、上述した本実施形態の化粧料塗布具１に何ら制限されるものではなく、適宜変更可能である。
例えば、図５〜図８及び図１３には、他の実施態様の化粧料塗布具１の例が示されている。図５〜図８及び図１３に示す実施形態の化粧料塗布具１については、上述した実施形態の化粧料塗布具１と異なる点について主として説明し、同様の点については同一の符号を付して説明を省略する。特に言及しない点については、上述した実施形態の化粧料塗布具１に関する説明が適宜適用される。また、図５〜図８及び図１３に示す実施形態の化粧料塗布具１の効果については、上述した実施形態の化粧料塗布具１の効果と異なる点について説明し、特に説明しない点は、上述した実施形態の化粧料塗布具１の効果と同様である。
【００３５】
図５（ａ）〜図５（ｄ）には、図２に示す化粧料塗布具１に比べて、塗布体５で覆われた軸体４の部分４１の配置位置が異なる化粧料塗布具１が記載されている。尚、図５（ａ）〜図５（ｄ）に示す化粧料塗布具１の塗布体５の形状は、図２に示す化粧料塗布具１の塗布体５の形状と同様である。
【００３６】
図５（ａ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、前記覆われていない部分４２から長手方向（Ｘ方向）に平行に直線状に延在している。従って、塗布体５で覆われた軸体の部分４１が、上述した（ｉ）の形態の如く、該軸体の部分４１の全体において、該軸体の部分４１の幅中心の位置が仮想塗布体中心線ＩＬに対してずれており、塗布体５で覆われた軸体の部分４１が、塗布体５に対し、偏心した位置に配置されている。このように、図５（ａ）に示す化粧料塗布具１は、仮想塗布体中心線ＩＬを境界として、片方（一側縁５ｓ１側）の塗布体５の領域に、塗布体５で覆われた軸体の部分４１が全て配されている。このような形態であると、塗布部３に力を加える部分と把持部２が一直線上にあるので、押し当てる力の加減がし易い。尚、図５（ａ）に示す化粧料塗布具１は、塗布体５で覆われた軸体の部分４１が、前記覆われていない部分４２から長手方向（Ｘ方向）に平行に直線状に延在しているが、図５（ｂ）に示すように、塗布体５で覆われていない部分４２が、一側縁５ｓ１側に湾曲し、該湾曲した前記覆われていない部分４２の先端部から一側縁５ｓ１に沿って直線状に延在していてもよい。図５（ｂ）に示す化粧料塗布具１は、塗布体５の長手方向（Ｘ方向）と化粧料塗布具１の把持部２の延びる長手方向(Ｘ方向)とが交差している。このように、塗布体５で覆われていない部分４２が湾曲していると、化粧料塗布具１の使用時の持ち易さが向上する。このような効果を一層奏する観点から、図５（ｂ）に示す化粧料塗布具１においては、塗布体５で覆われた軸体の部分４１と把持部２とのなす角度が、１０°以上６０°以下であることが好ましい。
【００３７】
図５（ｃ）に示す化粧料塗布具１は、図２に示す化粧料塗布具１と同様に、塗布体５で覆われた軸体の部分４１は、軸体４における塗布体５で覆われていない部分４２から長手方向（Ｘ方向）に平行に延在する部分を有しており、該延在する部分の幅中心の位置は仮想塗布体中心線ＩＬと一致している。しかし、図２に示す化粧料塗布具１と異なり、該軸体の部分４１が、前記延在する部分の先端部から、塗布体５の厚みが厚い他側縁５ｓ２側に向かって屈曲したのち、下端縁５ｅ２、他側縁５ｓ２、及び上端縁５ｅ１に沿って湾曲しながら延在している。そして、該軸体の部分４１は、仮想塗布体中心線ＩＬを横切って、先端部が一側縁５ｓ１近傍まで延在している。このように、図５（ｃ）に示す化粧料塗布具１は、塗布体５で覆われた軸体の部分４１が、塗布体５で覆われていない部分４２から長手方向（Ｘ方向）に平行に延在する部分を有し、更に、仮想塗布体中心線ＩＬを横切る部分を有するので、図２に示す化粧料塗布具１と同様に、上述した（ｉｉ）の形態であり、塗布体５で覆われた軸体の部分４１が、塗布体５に対し、偏心した位置に配置されている。また、図５（ｃ）に示す化粧料塗布具１は、他側縁５ｓ２側に向かって屈曲した軸体４を有しているので、塗布体５の最も幅広の部位にて、幅方向（Ｙ方向）に沿って断面視すると、塗布体５の両塗布面５ｆ，５ｆを構成する一対の対向辺どうしの間隔が、軸体の部分４１に近い側の他側縁５ｓ２から一側縁５ｓ１に向かって、漸次狭くなっている。このように形成された図５（ｃ）に示す塗布体５を有する化粧料塗布具１を、図４に示すように、瞼の目頭に配した後、目尻に向かって移動させると、軸体の部分４１が配された厚みの厚い他側縁５ｓ２側の方が、厚みの薄い一側縁５ｓ１側に比べて力が加わり易く、瞼に塗布したアイシャドウにグラデーションが出易くなる。
【００３８】
塗布体５で覆われた軸体の部分４１が、塗布体５の厚みが厚い他側縁５ｓ２側に配されている例としては、図５（ｃ）に示す化粧料塗布具１以外に、図５（ｄ）に示す化粧料塗布具１の形態であってもよい。図５（ｄ）に示す化粧料塗布具１は、軸体４における塗布体５で覆われていない部分４２が、仮想塗布体中心線ＩＬに対して、他側縁５ｓ２側にずれており、塗布体５で覆われた軸体の部分４１が、前記覆われていない部分４２から他側縁５ｓ２及び上端縁５ｅ１に沿って延在し、そして、該軸体の部分４１は、仮想塗布体中心線ＩＬを横切る位置まで湾曲しながら延在している。このように、図５（ｄ）に示す化粧料塗布具１は、塗布体５で覆われた軸体の部分４１が、仮想塗布体中心線ＩＬを横切る部分を有するので、図２に示す化粧料塗布具１と同様に、上述した（ｉｉ）の形態であり、塗布体５で覆われた軸体の部分４１が、塗布体５に対し、偏心した位置に配置されている。
【００３９】
次に、図６（ａ）〜図６（ｂ）には、図２に示す化粧料塗布具１に比べて、軸体４の幅（Ｙ方向の長さ）が変化している化粧料塗布具１が記載されている。尚、図６（ａ）〜図６（ｂ）に示す化粧料塗布具１の塗布体５の形状は、図２に示す化粧料塗布具１の塗布体５の形状と同様である。
【００４０】
図６（ａ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、前記覆われていない部分４２から長手方向（Ｘ方向）に平行に延在しているが、上端縁５ｅ１に向かって、軸体４の幅が漸次狭くなっている。このように、図６（ａ）に示す化粧料塗布具１は、塗布体５で覆われた軸体の部分４１の幅中心の位置が全体において仮想塗布体中心線ＩＬに対してずれており、上述した（ｉ）の形態に該当する。尚、図６（ａ）に示す化粧料塗布具１は、塗布体５で覆われた軸体の部分４１が、上端縁５ｅ１に向かって、軸体４の幅が漸次狭くなっているが、図６（ｂ）に示す化粧料塗布具１の前記軸体の部分４１のように、段階的に幅が狭くなっていてもよい。図６（ａ）及び図６（ｂ）に示すように、塗布体５で覆われた軸体の部分４１の幅が狭くなっていると、目の際から上に向って暈す効果に加え、塗布体５の上部に向って、暈す効果が得られるので、目頭側、目尻側に自然なグラデーションのあるメイクが実現できる。
【００４１】
次に、図７（ａ）〜図７（ｂ）には、塗布体５の形状が、一側縁５ｓ１側と他側縁５ｓ２側とで非対称な形状となっている、図２に示す化粧料塗布具１の塗布体５の形状とは別の化粧料塗布具１が記載されている。
【００４２】
図７（ａ）に示す化粧料塗布具１の塗布体５は、塗布体５の厚みが厚い一側縁５ｓ１の長さが、厚みの薄い他側縁５ｓ２の長さよりも長くなっている。一側縁５ｓ１は、長手方向（Ｘ方向）に平行に延びる一直線の形状に形成されている。また、一側縁５ｓ１の長手方向（Ｘ方向）中央領域に位置する領域に他側縁５ｓ２が配されている。他側縁５ｓ２は、一側縁５ｓ１の長手方向（Ｘ方向）中央の位置が最も幅広となるように、仮想塗布体中心線ＩＬに対して外方に凸状となる曲線形状に形成されている。図７（ａ）に示す化粧料塗布具１においては、第２角部５２及び第３角部５３の曲率半径が同じで曲線の湾曲が最も緩やかになっており、第１角部５１及び第４角部５４の曲率半径が同じで曲線の湾曲が最も急になっている。このように形成されていると、瞼の目頭側から目尻側に亘って前頭骨の眼球側の骨に沿って塗布体５を当てて操作することができるので、だれもが間違いなく自然なグラデーションのあるメイクが実現できる。このような効果を一層奏する観点から、第１角部５１及び第４角部５４の曲率半径は、０．２ｍｍ以上３ｍｍ以下であることが好ましい。第２角部５２及び第３角部５３の曲率半径は、２ｍｍ以上１０ｍｍ以下であることが好ましい。尚、第１角部５１及び第４角部５４の曲率半径は、第２角部５２及び第３角部５３の曲率半径より小さい。また、図７（ａ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、前記覆われていない部分４２から長手方向（Ｘ方向）に平行に直線状に延在している。従って、塗布体５で覆われた軸体の部分４１が、上述した（ｉ）の形態の如く、該軸体の部分４１の全体において、該軸体の部分４１の幅中心の位置が仮想塗布体中心線ＩＬに対してずれている。
【００４３】
一側縁５ｓ１の長手方向（Ｘ方向）中央の位置が最も幅広となるように、他側縁５ｓ２が外方に凸状となる曲線形状に形成された塗布体５を有する例としては、図７（ａ）に示す化粧料塗布具１以外に、図７（ｂ）に示す化粧料塗布具１の形態であってもよい。図７（ｂ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、該部分４２から長手方向（Ｘ方向）に平行に延在し、該延在する部分の先端部から、塗布体５の厚みが厚い他側縁５ｓ２側に向かって屈曲したのち、下端縁５ｅ２、他側縁５ｓ２、及び上端縁５ｅ１に沿って湾曲しながら延在している。そして、該軸体の部分４１は、仮想塗布体中心線ＩＬを横切って、先端部が一側縁５ｓ１近傍まで延在している。このように、図７（ｂ）に示す化粧料塗布具１は、仮想塗布体中心線ＩＬを横切る部分を有するので、図２に示す化粧料塗布具１と同様に、上述した（ｉｉ）の形態であり、塗布体５で覆われた軸体の部分４１が、塗布体５に対し、偏心した位置に配置されている。また、図７（ｂ）に示す化粧料塗布具１は、他側縁５ｓ２側に向かって屈曲した軸体４を有しているので、塗布体５の最も幅広の部位にて、幅方向（Ｙ方向）に沿って断面視すると、塗布体５の両塗布面５ｆ，５ｆを構成する一対の対向辺どうしの間隔が、軸体の部分４１に近い側の他側縁５ｓ２から一側縁５ｓ１に向かって、漸次狭くなっている。
【００４４】
次に、図８（ａ）〜図８（ｅ）には、塗布体５の形状が、仮想塗布体中心線ＩＬに対して一側縁５ｓ１側と他側縁５ｓ２側とで対称な形状となっている化粧料塗布具１が記載されている。また、塗布体５は、両塗布面５ｆ，５ｆが略平面で、両塗布面５ｆ，５ｆ間の間隔が一定となった扁平形状となっている。
【００４５】
図８（ａ）に示す化粧料塗布具１は、塗布体５の両側縁５ｓ１，５ｓ２の長さが同じ長さになっている。また、一側縁５ｓ１の長手方向（Ｘ方向）の下端部の位置と、他側縁５ｓ２の長手方向（Ｘ方向）の下端部の位置とは、長手方向（Ｘ方向）において、同じ位置に配されている。そして、一側縁５ｓ１及び他側縁５ｓ２は、それぞれ、仮想塗布体中心線ＩＬに対して外方に凸状となる曲線形状に形成されている。また、上端縁５ｅ１の左右両端部は、一側縁５ｓ１の上端部及び他側縁５ｓ２の上端部と滑らかに連なっている。また、下端縁５ｅ２の左右両端部は、一側縁５ｓ１の下端部及び他側縁５ｓ２の下端部と滑らかに連なっている。このように、塗布体５は、化粧料塗布具１においては、塗布体５が、仮想塗布体中心線ＩＬに対し、一側縁５ｓ１側と他側縁５ｓ２側とで対称な卵形状となっている。図８（ａ）に示す化粧料塗布具１の塗布体５は、第１角部５１、第２角部５２、第３角部５３、及び第４角部５４以外に、上端縁５ｅ１がＸ方向外方に凸に湾曲する第７角部５７を有している。そして、図８（ａ）に示す化粧料塗布具１においては、第１角部５１及び第２角部５２の曲率半径が同じで曲線の湾曲が最も緩やかになっており、第７角部５７の曲線の湾曲が最も急になっている。尚、第３角部５３及び第４角部５４の曲率半径は同じである。このように仮想塗布体中心線ＩＬに対して対称に形成されていると、右瞼でも、左瞼でも、使う塗布面が限定されないので、塗布面５ｆの両面を使い、それぞれグラデーション効果を上下反転して使うことができるので、異なる化粧効果を施すことができる。このような効果を一層奏する観点から、第１角部５１及び第２角部５２の曲率半径は、２ｍｍ以上２０ｍｍ以下であることが好ましい。第３角部５３及び第４角部５４の曲率半径は、０．３ｍｍ以上１０ｍｍ以下であることが好ましい。そして、第７角部５７の曲率半径は、０．３ｍｍ以上１０ｍｍ以下であることが好ましい。
【００４６】
図８（ａ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、前記覆われていない部分４２から長手方向（Ｘ方向）に平行に直線状に延在している。従って、図８（ａ）に示す化粧料塗布具１は、該軸体の部分４１の全体において、該軸体の部分４１の幅中心の位置が仮想塗布体中心線ＩＬに対してずれている上述した（ｉ）の形態であり、塗布体５で覆われた軸体の部分４１が、塗布体５に対し、偏心した位置に配置されている。
仮想塗布体中心線ＩＬに対して、一側縁５ｓ１側と他側縁５ｓ２側とで対称な卵形状に形成された塗布体５を有する例としては、図８（ａ）に示す化粧料塗布具１以外に、図８（ｂ）〜図８（ｅ）に示す化粧料塗布具１の形態であってもよい。
【００４７】
図８（ｂ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、該部分４２から長手方向（Ｘ方向）に平行に延在し、該延在する部分の先端部から、一側縁５ｓ１側に向かって屈曲したのち、一側縁５ｓ１に沿って湾曲しながら延在している。そして、該軸体の部分４１は、仮想塗布体中心線ＩＬに至る手前まで延在している。このように、図８（ｂ）に示す化粧料塗布具１は、該軸体の部分４１の全体において、該軸体の部分４１の幅中心の位置が仮想塗布体中心線ＩＬに対してずれている上述した（ｉ）の形態であり、塗布体５で覆われた軸体の部分４１が、塗布体５に対し、偏心した位置に配置されている。
【００４８】
図８（ｃ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、該部分４２から長手方向（Ｘ方向）に平行に延在し、該延在する部分の先端部から、一側縁５ｓ１側に向かって屈曲したのち、一側縁５ｓ１及び上端縁５ｅ１に沿って湾曲しながら延在している。そして、該軸体の部分４１は、仮想塗布体中心線ＩＬを横切って、先端部が他側縁５ｓ２まで延在している。このように、図８（ｃ）に示す化粧料塗布具１は、仮想塗布体中心線ＩＬを横切る部分を有するので、図２に示す化粧料塗布具１と同様に、上述した（ｉｉ）の形態であり、塗布体５で覆われた軸体の部分４１が、塗布体５に対し、偏心した位置に配置されている。
【００４９】
図８（ｄ）に示す化粧料塗布具１は、軸体４における塗布体５で覆われていない部分４２が、仮想塗布体中心線ＩＬに対して、一側縁５ｓ１側にずれており、塗布体５で覆われた軸体の部分４１が、該部分４２から長手方向（Ｘ方向）に平行に半分の位置Ｐ近傍まで延在し、該延在する部分の先端部から、第２角部５２に向かって屈曲して直線状に延在している。このように、図８（ｄ）に示す化粧料塗布具１は、仮想塗布体中心線ＩＬを横切る部分を有するので、図２に示す化粧料塗布具１と同様に、上述した（ｉｉ）の形態であり、塗布体５で覆われた軸体の部分４１が、塗布体５に対し、偏心した位置に配置されている。
【００５０】
図８（ｅ）に示す化粧料塗布具１は、軸体４における塗布体５で覆われていない部分４２が、仮想塗布体中心線ＩＬに対して、他側縁５ｓ２側にずれており、塗布体５で覆われた軸体の部分４１が、該部分４２から長手方向（Ｘ方向）に平行に延在し、該延在する部分の先端部から、他側縁５ｓ２側に向かって屈曲したのち、他側縁５ｓ２に沿って、塗布体５の長手方向（Ｘ方向）の中央の位置近傍まで、延在している。そして、該軸体の部分４１は、一側縁５ｓ１側に向かって屈曲したのち、仮想塗布体中心線ＩＬを横切る位置まで延在している。そして、該軸体の部分４１は、第７角部５７に向かって屈曲したのち、仮想塗布体中心線ＩＬに沿って第７角部５７近傍の位置まで延在している。このように、図８（ｅ）に示す化粧料塗布具１は、塗布体５で覆われた軸体の部分４１が、仮想塗布体中心線ＩＬを横切る部分を有するので、図２に示す化粧料塗布具１と同様に、上述した（ｉｉ）の形態であり、塗布体５で覆われた軸体の部分４１が、塗布体５に対し、偏心した位置に配置されている。
【００５１】
更に異なる実施形態について説明すると、上述した実施形態の化粧料塗布具１は、図１に示すように、両塗布面５ｆ，５ｆが略平面な形状となっており、一側縁５ｓ１側の厚みが薄くなっていたが、図９に示す化粧料塗布具１の塗布体５のように、塗布体の最も厚みの広い部位の半分の位置Ｐ３を通る第２仮想塗布体中心線ＩＬ２に対し、塗布面５ｆ，５ｆを構成する一対の対向辺それぞれが、厚み方向（Ｚ方向）外方に凸の曲線形状となっており、幅方向（Ｙ方向）中央部で厚みが最も厚く、一側縁５ｓ１側及び他側縁５ｓ２側の厚みが同じ厚みとなっていてもよい。また、図９に示すように、厚み方向（Ｚ方向）外方に凸の程度が、塗布面５ｆ，５ｆを構成する一対の対向辺それぞれで異なっていてもよい。その際、一方の塗布面５ｆを構成する対向辺の曲率半径は、１０ｍｍ以上８０ｍｍ以下であることが好ましく、他方の塗布面５ｆを構成する対向辺の曲率半径は、２ｍｍ以上５０ｍｍ以下であることが好ましい。尚、一方の塗布面５ｆが略平面で、他方の塗布面５ｆが湾曲形状であってもよい。
【００５２】
また、上述した実施形態の化粧料塗布具１は、図３に示すように、第２仮想塗布体中心線ＩＬ２に対し、塗布体５で覆われた軸体の部分４１がずれていないが、図９に示す化粧料塗布具１の塗布体５のように、第２仮想塗布体中心線ＩＬ２に対し、塗布体５で覆われた軸体の部分４１がずれていてもよい。具体的には、図９に示す化粧料塗布具１においては、曲率半径の大きく、湾曲が緩やかな塗布面５ｆを構成する対向辺側に前記軸体の部分４１がずれている。このように形成された図９に示す塗布体５を有する化粧料塗布具１を、図４に示すように、瞼の目頭に配した後、目尻に向かって移動させると、一方の塗布面５ｆで瞼に塗布した場合と、他方の塗布面５ｆで瞼に塗布した場合とで、アイシャドウのグラデーションの程度が異なるようになるので、一方の塗布面５ｆと他方の塗布面５ｆとで、異なるグラデーションの効果を使い分けることができる。
【００５３】
また、図３に示す化粧料塗布具１及び図４に示す化粧料塗布具１は、塗布体５で覆われた長手方向（Ｘ方向）に延びる軸体の部分４１の断面長辺が、幅方向（Ｙ方向）に平行に配されているが、図１０に示すように、幅方向（Ｙ方向）に対して前記軸体の部分４１の断面長辺を回転させ傾かせて配置してよい。このように傾かせて配置すると、アイシャドウを担持した塗布体５で塗布する際に、肌表面と塗布体５の塗布面５ｆとを平行になるように当てるだけで、軸体４の押し圧を変更でき、濃く塗れる部分の中に更にグラデーション効果を醸し出すことができる。また、幅方向（Ｙ方向）に対して前記軸体の部分４１の断面長辺を傾かせて配置するとともに、該軸体の部分４１の断面長辺と把持部２の断面長辺とを平行に一致させて長手方向（Ｘ方向）に延在させ、把持部２を傾かせて配置すると、把持部２を把持する際、手の平が頬から離れるようになすので、把持し易く、塗布し易くなる。更に、肌表面と塗布体５の軸体の部分４１の断面長辺と平行になるように塗布しようとすれば、塗布体５は肌表面に傾斜して当たるようになるので、軸体４の押し圧の分布が変化し易く、異なるグラデーション効果を得ることができる。このような効果を一層奏する観点から、幅方向（Ｙ方向）と前記軸体の部分４１の断面長辺とのなす角度γ（図１０参照）が、−６０°以上＋６０°以下であることが好ましく、−４５°以上＋４５°以下であることが更に好ましい。
【００５４】
また、上述した実施形態の化粧料塗布具１は、図１に示すように、両塗布面５ｆ，５ｆ全体が略平面な形状となっているが、図１１，図１２に示す化粧料塗布具１の塗布体５のように、略平面な両塗布面５ｆ，５ｆの一部に厚み方向（Ｚ方向）外方に凸の突起部分５８が長手方向（Ｘ方向）に延在する形状であってもよい。具体的には、図１１（ａ），図１１（ｂ）に示す化粧料塗布具１の塗布体５の各塗布面５ｆには、厚み方向（Ｚ方向）外方に凸に湾曲する突起部分５８が第１角部５１から第４角部５４に亘って一側縁５ｓ１に沿って帯状に設けられており、突起部分５８以外の部分が略平面な形状となっている。なお、図１１（ａ），図１１（ｂ）に示す突起部分５８は、そのＹ方向の長さが、軸体の部分４１の断面長辺の長さと略同じであるが、求める化粧効果に応じて適宜長さを設定しても良い。Ｚ方向の長さは、略平面な塗布面から０．１〜３ｍｍ程度であり、図１１（ａ），図１１（ｂ）に示すような突起部分５８が塗布面５ｆに設けられていると、略平面な塗布面５ｆの部分よりも突起部分５８で強く、化粧料又は肌対向面に対して押し付けることができ、部分的に化粧料を多く担持させたり、部分的に強調して塗布させたりすることが可能となる。また、塗布面５ｆに配された突起部分５８と略平面な塗布面５ｆとの境界が段差を付けてはっきりさせれば、濃く塗布して強調させることもできる。また、滑らかな突起部分５８でグラデーション効果を醸し出し、自然な仕上がりにすることができる。また、図１２（ａ），図１２（ｂ）に示す突起部分５８は、そのＹ方向の長さが、０．３〜３ｍｍ程度であり、Ｚ方向の長さは、略平面な塗布面から０．３〜３ｍｍ程度であり、第１角部５１から第４角部５４に亘って一側縁５ｓ１に沿って設けられている。そして、図１２（ａ），図１２（ｂ）に示す化粧料塗布具１の塗布体５の各塗布面５ｆには、突起部分５８と略平面な塗布面５ｆとの境界に、突起部分５８と略平面な塗布面５ｆとを滑らかに繋ぐ、厚み方向（Ｚ方向）内方に凹んだ凹部分５９が長手方向（Ｘ方向）に延在するように形成されている。図１２（ａ），図１２（ｂ）に示すような突起部分５８及び凹部分５９が塗布面５ｆに設けられていると、略平面な塗布面５ｆで瞼の表面に化粧料を塗布すると共に、凹部分５９と突起部分５８との境界部分で、まつ毛の生え際に化粧料を塗布することができる。このようにまつ毛の生え際にアイシャドウ、またはアイライナーを塗布することができれば、一層アイメイクの効果が向上する。
【００５５】
また、図１３（ａ）〜図１３（ｂ）には、塗布体５の形状が、一側縁５ｓ１側と他側縁５ｓ２側とで非対称な形状となっており、上端縁５ｅ１に突起部６を有する、図２に示す化粧料塗布具１の塗布体５の形状とは別の化粧料塗布具１が記載されている。具体的には、図１３（ａ）〜図１３（ｂ）に示す化粧料塗布具１の塗布体５は、塗布体５の先端に、塗布体５の長手方向(Ｘ方向)に隆起する突起部６を有している。そして、塗布体５は、平面視したときの投影面積が最も広くなる状態を基準として、突起部６における長手方向（Ｘ方向）に沿う両側縁６ｓ１，６ｓ２の内の少なくとも一方の他側縁６ｓ２から連続して塗布体５の内方に向かって凹んだ凹み部７を有している。図１３（ａ）〜図１３（ｂ）に示す化粧料塗布具１においては、両側縁６ｓ１，６ｓ２の内、塗布体５の一側縁５ｓ１側の側縁を一側縁６ｓ１として説明し、塗布体５の他側縁５ｓ２側の側縁を他側縁６ｓ２として説明する。
【００５６】
図１３（ａ）に示す化粧料塗布具１の塗布体５は、塗布体５を平面視したときの投影面積が最も広くなる状態を基準として、塗布体５の上端縁５ｅ１が、突起部６の輪郭と凹み部７の輪郭とが繋がる部分を有している。詳述すると、化粧料塗布具１の塗布体５は、図１３（ａ）に示す塗布体５の状態を基準として、突起部６における長手方向（Ｘ方向）に沿う両側縁６ｓ１，６ｓ２の内の一方の他側縁６ｓ２から連続して塗布体５の内方に向かって凹んだ凹み部７を有している。化粧料塗布具１の凹み部７は、塗布体５の内方に向かって切り込まれた切込み部である。化粧料塗布具１の切込み部は、長手方向（Ｘ方向）に平行に内方にシャープに切り込まれて形成されており、切込み部の底部が、長手方向（Ｘ方向）において、軸体４の先端よりも塗布体５の内方に配されている。
【００５７】
また、図１３（ａ）に示す化粧料塗布具１の塗布体５は、塗布体５の一側縁５ｓ１が、長手方向（Ｘ方向）に平行に延びる一直線の形状に形成されており、塗布体５の他側縁５ｓ２が、仮想塗布体中心線ＩＬに対して幅方向（Ｙ方向）外方に凸状となる曲線形状に形成されている。そして、突起部６が一側縁５ｓ１側に配されている。また、一側縁５ｓ１の長手方向（Ｘ方向）の下端部の位置と、他側縁５ｓ２の長手方向（Ｘ方向）の下端部の位置とは、長手方向（Ｘ方向）において、同じ位置に配されている。そして、下端縁５ｅ２の左右両端部は、一側縁５ｓ１の下端部及び他側縁５ｓ２の下端部と滑らかに連なっている。このように、化粧料塗布具１の塗布体５は、一側縁５ｓ１の長さが他側縁５ｓ２の長さよりも長く形成されている。従って、図１３（ａ）に示す化粧料塗布具１の塗布体５は、仮想塗布体中心線ＩＬに対し、一側縁５ｓ１側と他側縁５ｓ２側とで非対称な形状となっている。
【００５８】
上述した図１３（ａ）に示す化粧料塗布具１は、塗布体５が突起部６の他側縁６ｓ２から連続する凹み部７を有し、凹み部７が塗布体５の内方に向かって切り込まれた切込み部であるので、塗布体５の突起部６に柔軟性を付与することができる。従って、図１３（ａ）に示す化粧料塗布具１を使用すれば、敏感な瞼上にアイシャドウを塗布する際に、違和感を更に与え難く、使用感が更に向上する。
【００５９】
図１３（ｂ）に示す化粧料塗布具１の塗布体５は、塗布体５を平面視したときの投影面積が最も広くなる状態を基準として、塗布体５の一側縁５ｓ１が、仮想塗布体中心線ＩＬに対して幅方向（Ｙ方向）外方に凸状となる曲線形状に形成されており、塗布体５の他側縁５ｓ２も、仮想塗布体中心線ＩＬに対して幅方向（Ｙ方向）外方に凸状となる曲線形状に形成されている。そして、突起部６が仮想塗布体中心線ＩＬ上に配されている。また、一側縁５ｓ１の長手方向（Ｘ方向）の下端部の位置と、他側縁５ｓ２の長手方向（Ｘ方向）の下端部の位置とは、長手方向（Ｘ方向）において、同じ位置に配されている。このように、図１３（ｂ）に示す化粧料塗布具１の塗布体５は、一側縁５ｓ１の長さと他側縁５ｓ２の長さとが同じ長さに形成されている。
【００６０】
図１３（ｂ）に示す化粧料塗布具１の塗布体５の上端縁５ｅ１は、仮想塗布体中心線ＩＬ上に配された突起部６の頂部が、長手方向（Ｘ方向）において、最も外方に位置している。そして、塗布体５の上端縁５ｅ１の端部と一側縁５ｓ１の上端部とが繋がって形成される第１角部５１、上端縁５ｅ１の端部と他側縁５ｓ２の上端部とが繋がって形成される第２角部５２の位置が、長手方向（Ｘ方向）において、同じ位置に配されている。図１３（ｂ）に示す化粧料塗布具１の塗布体５の凹み部７は、突起部６における長手方向（Ｘ方向）に沿う両側縁６ｓ１，６ｓ２の内の一方の他側縁６ｓ２から連続して塗布体５の一側縁５ｓ１向かって内方に、仮想塗布体中心線ＩＬに交差するまで延在している。
【００６１】
図１３（ｂ）に示すように、突起部６及び凹み部７が形成された化粧料塗布具１を用いれば、塗布体５の突起部６に柔軟性を付与することができる。従って、化粧料塗布具１を使用すれば、敏感な瞼上にアイシャドウを塗布する際に、違和感を更に与え難く、使用感が更に向上する。更に側縁６ｓ１から上端縁５e１にかけての部分を使って塗布することで突起部６の頂部を使うよりも広い面積の微調整が、１つの化粧料塗布具１で実施することができる。
【００６２】
また、上述した実施形態の化粧料塗布具１の塗布体５は、塗布体５を平面視したときの投影面積が最も広くなる状態を基準として、図２，図５，図６，図７，図８，図１３に示すように、Ｘ方向に長い形状を有しているが、塗布体５で覆われた軸体の部分４１が塗布体５に対し偏心した位置に配置されていれば、Ｙ方向に長い形状であってもよく、正方形状や真円形状であってもよい。
【００６３】
また、化粧料塗布具１の塗布体５の表面には、静電植毛により植毛が施されていてもよい。植毛される繊維の材質としては、ナイロン、ポリプロピレン、ポリエステル、ポリブチレンテレフタレート等の合成樹脂からなる合成樹脂繊維、レーヨン等の半合成繊維、或いは動物の毛などの天然繊維を用いることができる。植毛される繊維の密度は、好ましくは１本／ｍｍ２以上１００００本／ｍｍ２以下、より好ましくは３０本／ｍｍ２以上５０００本／ｍｍ２以下である。
【００６４】
上述した実施形態の化粧料塗布具１の使用状態の説明は、化粧料としてアイシャドウを用いた場合についてのものであったが、本発明の化粧料塗布具を用いた塗布の対象となる化粧料は、アイシャドウに限られるものではない。塗布の対象となる化粧料としては、アイライナー、アイブロウ、チーク、ファンデーション、コンシーラー等が挙げられる。また、塗布の対象部位は、瞼に限られるものではなく、塗布の対象となる化粧料に応じて、様々な部位に用いることができる。
【００６５】
上述した実施形態に関し、さらに以下の化粧料塗布具を開示する。
【００６６】
＜１＞
把持部と塗布部とを備える化粧料塗布具であって、
前記塗布部は、前記把持部から延びる軸体、該軸体における該把持部とは反対側の先端部分に該軸体を覆う塗布体とを備えており、
前記塗布体は、変形可能な部材で構成されており、
前記塗布体を平面視したときの投影面積が最も広くなる状態を基準として、該塗布体で覆われた前記軸体が、該塗布体に対し、偏心した位置に配置されている化粧料塗布具。
【００６７】
＜２＞
前記塗布体を平面視したときの投影面積が最も広くなる状態を基準として、該塗布体の長手方向に直交する幅方向の最も幅広の部位の中心を通る前記塗布体の長手方向に延びている仮想塗布体中心線に対し、該塗布体で覆われた前記軸体の中心がずれている前記＜１＞に記載の化粧料塗布具。
＜３＞
前記塗布体の最も幅広の部位において、その幅広の部位の全幅（Ｗ）の半分の値（Ｗ／２）に対する、該幅広の部位の中心と前記軸体の中心の位置との間隔（ｄ）の比（ｄ／（Ｗ／２））が、０．１以上０．９５以下、好ましくは、０．５以上０．８以下である前記＜１＞又は＜２＞に記載の化粧料塗布具。
＜４＞
前記塗布体における前記塗布体の長手方向の長さが最も長い部位の長さ（Ｌ）に対する、該塗布体の最も幅広の部位の半分の位置からずれている前記軸体の部分の全道のりの長さ（Ｌ１）の比（Ｌ１／Ｌ）が、０．２以上１．５以下、好ましくは０．５以上１．０以下である前記＜１＞〜＜３＞のいずれか１に記載の化粧料塗布具。
＜５＞
前記仮想塗布体中心線を境界として、
片方の塗布体の領域に、該塗布体で覆われた前記軸体の部分が全て配されている前記＜１＞〜＜４＞のいずれか１に記載の化粧料塗布具。
＜６＞
前記塗布体の最も幅広の部位にて、該塗布体の幅方向に沿って断面視して、
前記塗布体の最も厚みの厚い部位の半分の厚さ位置を通る前記塗布体の幅方向に延びる第２仮想塗布体中心線に対し、前記軸体の部分がずれている前記＜１＞〜＜５＞のいずれか１に記載の化粧料塗布具。
＜７＞
前記塗布体の塗布面が、略平面な形状である前記＜１＞〜＜６＞のいずれか１に記載の化粧料塗布具。
【００６８】
＜８＞
前記塗布体の両塗布面が、略平面な形状であり、
前記塗布体の最も幅広の部位にて、該塗布体の幅方向に沿って断面視して、
前記塗布体の両塗布面を構成する一対の対向辺どうしの間隔が、前記軸体の部分に近い側の一側辺から他側辺に向かって、漸次広くなっているか或いは漸次狭くなっている前記＜１＞〜＜７＞のいずれか１に記載の化粧料塗布具。
＜９＞
前記塗布体の一方の塗布面を構成する対向辺と他方の塗布面を構成する対向辺とのなす角βは、０°以上４５°以下、好ましく５°以上３０°以下、より好ましく１５°以上２５°以下である前記＜８＞に記載の化粧料塗布具。
＜１０＞
前記塗布体における塗布体の長手方向に沿う両側縁の内、前記軸体の部分に近い側の一側縁が、一直線の形状を有している前記＜１＞〜＜９＞のいずれか１に記載の化粧料塗布具。
＜１１＞
前記塗布体における塗布体の長手方向に沿う前記両側縁の内、前記軸体の部分に近い側における、一直線の形状に形成された直線領域は、該一側縁の内、半分以上の長さを占める前記＜１０＞に記載の化粧料塗布具。
＜１２＞
前記塗布体における前記塗布体の長手方向に沿う両側縁の内の前記軸体の部分に近い側の一側縁と、前記塗布体における前記塗布体の長手方向の先端側の端縁とのなす角度が、８５°以下、好ましくは７５°以下であり、好ましくは３０°以上である前記＜１＞〜＜１１＞のいずれか１に記載の化粧料塗布具。
＜１３＞
前記塗布体における前記塗布体の長手方向に沿う両側縁において、前記軸体の部分に近い側の一側縁の長さが、他側縁の長さよりも長い前記＜１＞〜＜１２＞のいずれか１に記載の化粧料塗布具。
＜１４＞
前記変形可能な部材で構成された塗布体は、中実体、中空体、或いは多孔質体で形成されている前記＜１＞〜＜１３＞のいずれか１に記載の化粧料塗布具。
＜１５＞
前記塗布体を平面視したときの投影面積が最も広くなる状態を基準として、前記塗布体の投影面積を塗布体面積（Ａｔ）とし、該塗布体で覆われた前記軸体の部分に対応する部分の面積を軸体面積（Ａｊ）とし、該塗布体における該軸体が存在しない部分に対応する面積を軸体非存在面積（Ａｔ−Ａｊ）とした場合、前記塗布体面積（Ａｔ）に対する前記軸体非存在面積（Ａｔ−Ａｊ）の比（（Ａｔ−Ａｊ）／Ａｔ）が、０．３以上０．９５以下であることが好ましく、０．４以上０．９以下であることがより好ましく、０．５以上０．９以下であることがさらに好ましい前記＜１＞〜＜１４＞のいずれか１に記載の化粧料塗布具。
＜１６＞
前記塗布体で覆われた前記軸体の一部が屈曲又は湾曲している前記＜１＞〜＜１５＞のいずれか１に記載の化粧料塗布具。
＜１７＞
前記塗布体における長手方向の長さが最も長い部位の長さＬは、８ｍｍ以上３０ｍｍ以下であり、
前記塗布体における幅方向の長さが最も広い幅広の部位の全幅Ｗは、３ｍｍ以上２０ｍｍ以下である前記＜１＞〜＜１６＞のいずれか１に記載の化粧料塗布具。
＜１８＞
前記塗布体は、その塗布面の一部に、厚み方向外方に凸の突起部分が長手方向に延在する形状である前記＜１＞〜＜１７＞のいずれか１に記載の化粧料塗布具。
【符号の説明】
【００６９】
１  化粧料塗布具
２  把持部
３  塗布部
４  軸体
４１  塗布体で覆われた軸体の部分
４２  塗布体で覆われていない部分
５  塗布体
５ｓ１，５ｓ２  側縁
５ｅ１  上端縁
５ｅ２  下端縁
６  突起部
６ｓ１，６ｓ２  側縁
７  凹み部
【図１】
2015142722.tif 000003
【図２】
2015142722.tif 000004
【図３】
2015142722.tif 000005
【図４】
2015142722.tif 000006
【図５】
2015142722.tif 000007
【図６】
2015142722.tif 000008
【図７】
2015142722.tif 000009
【図８】
2015142722.tif 000010
【図９】
2015142722.tif 000011
【図１０】
2015142722.tif 000012
【図１１】
2015142722.tif 000013
【図１２】
2015142722.tif 000014
【図１３】
2015142722.tif 000015
【手続補正書】
【提出日】平成27年4月16日(2015.4.16)
【手続補正１】
【補正対象書類名】明細書
【補正対象項目名】００１１
【補正方法】変更
【補正の内容】
【００１１】
以下、本発明を、その好ましい実施形態に基づき図面を参照しながら説明する。
図１には、本発明の一実施形態である化粧料塗布具１の斜視図が示されている。図１に示すように、本実施形態の化粧料塗布具１（以下、単に「化粧料塗布具１」ともいう。）は、把持部２と塗布部３とを備えている。そして、塗布部３は、把持部２から延びる軸体４、軸体４における把持部２とは反対側の先端部分に軸体４を覆う塗布体５とを備えている。以下の説明においては、図２に示すように、塗布体５を平面視したときの投影面積が最も広くなる状態を基準として、化粧料塗布具１の把持部２の延びる長手方向をＸ方向、長手方向（Ｘ方向）に直交する幅方向をＹ方向として説明する。また、図２に示す長手方向（Ｘ方向）及び幅方向（Ｙ方向）からなる面方向に直交する方向である化粧料塗布具１の厚み方向を、図３に示すように、Ｚ方向として説明する。また、図１〜図２に示すように、長手方向（Ｘ方向）については、化粧料塗布具１の塗布体５側を上側或いは先端側として説明し、把持部２側を下側として説明する。尚、化粧料塗布具１においては、化粧料塗布具１の把持部２の延びる長手方向(Ｘ方向)と塗布体５の長手方向とは同じ方向であり、塗布体５の長手方向に直交する幅方向と化粧料塗布具１の幅方向（Ｙ方向）とは同じ方向である。